Podtech/llm-jp-corpus-v4-ja_patent huggingface dataset:
(57)【要約】【課題】本考案は、ティーショットの時にゴルフティーが飛び難く、仮にそれが芝面に飛んでも紛失し難く、さらにゴルフボールのセット時にそのボールを落下し難くする。【解決手段】本考案は、ゴルフティー差し込み部の上部にゴルフボールを支持する細長い支持部及びそれら支持部同士を連結するもの、さらにゴルフボールとの接触部が広がるようにしたゴルフティーである。【選択図】図１
0003127712.tif 000002
【実用新案登録請求の範囲】
【請求項１】
ゴルフティー差し込み部分の上部に弾性的材質で細長い支持部及びそれら支持部同士を連結するものを設け、さらにゴルフボールとの接触部はゴルフボールを置くことによって広がるようにしたもの。
【請求項２】
請求項１の機能を持たせたものを既製ゴルフティーに付属できるようにしたもの。
【考案の詳細な説明】
【技術分野】
【０００１】  本考案は、ゴルフティーのゴルフボール支持に関するものである。
【背景技術】
【０００２】  従来のゴルフティーは、標準的なティーはもちろん、剛毛によりゴルフボールを支持するティーや弾性的材質で短い支持部を有するティーがあります。
【考案の開示】
【考案が解決しようとする課題】
【０００３】  従来のゴルフティーはティーショット時にゴルフボールとともに飛んで行ってしまい、芝の中に入り込み見つけ難かった。さらに、ゴルフボールのセット時に支持部との密着感が良くなくゴルフボールが落ちやすかった。
前述の欠点を解決しようとするものである。
【課題を解決するための手段】
【０００４】  上記課題を解決するために、本考案において、ゴルフティー差し込み部分の上部に弾性的材質で細長い支持部及びそれら支持部同士とを連結するものを設け、さらにゴルフボールとの接触部はゴルフボールを置くことによって広がるようにしたことで課題を解決する。
【考案の効果】
【０００５】  本考案は、支持部と支持部同士を連結するものを設けることによって支持部が細長くてもゴルフボールを支持するための耐力を得ることができ、さらに軽量化することが可能となる。支持部を細長くすることによってティーショット時にクラブのフェースが、弾性的材質で細長い支持部を通過するためゴルフボールのみ飛んで行きティーは地面に残ることとなる。そのためティーショット後にそれを探す手間が省ける。また、仮にミスショットしゴルフティーが誤って飛んだとしても支持部と支持部同士を連結するものにより芝の先端にそれが引っかかりやすくなることによって芝の中に入り込み難くなり、ティーを探しやすくことやその紛失を防止することができる。さらに、ゴルフボールとの接触部が広がるためゴルフボールをセットしても落ち難くなる。
【考案を実施するための最良の形態】
【０００６】  本考案のゴルフティー差し込み部を地中に差し込み、支持部にゴルフボールを乗せ、クラブフェースがゴルフボールの芯に当たるようにティーショットを行う。
【実施例】
【０００７】  以下、添付図面に従って説明する。  １はゴルフボール支持部、２は支持部間連結部、３は地中差し込み部、４は切り込み、５はゴルフボールである。
【図面の簡単な説明】
【０００８】
【図１】本考案を示す正面図である。
【図２】本考案の実施例を示す正面図である。
【符号の説明】
【０００９】  １  ゴルフボール支持部
２  支持部間連結部
３  地中差し込み部
４  切り込み
５  ゴルフボール
【図１】
0003127712.tif 000003
【図２】
0003127712.tif 000004
【手続補正書】
【提出日】平成18年9月18日(2006.9.18)
【手続補正１】
【補正対象書類名】実用新案登録請求の範囲
【補正対象項目名】全文
【補正方法】変更
【補正の内容】
【実用新案登録請求の範囲】
【請求項１】
ゴルフティー差し込み部分の上部に弾性的材質で細長い支持部及びそれら支持部同士を連結するものを設け、さらにゴルフボールとの接触部はゴルフボールを置くことによって広がるようにした細長支持部付ゴルフティー。
(57)【要約】【課題】従来、椅子生活の習慣や老化によって、腰が曲がり、背中が丸くなって身体全体の可動域が狭くなり、運動能力も低下して来て、やがて将来の、寝たきりへも繋がっていく。これを改善出来る整体術は保健が効かない。自宅で出来る簡便な方法が無かった。【解決手段】本寝台の特徴であるマット面を任意に凹凸化する機能を生かし、必要な加圧強調部位にマットを突出させたり、体ひねりポーズが楽な寄っ掛かり姿勢がとれる斜面形状を設けたり、エクササイズのメニューに合致したポーズが、とり易いマット形状に設定して、横臥又は仰向け姿勢で、本エクササイズ寝台上でストレッチ体操や姿勢矯正ポーズをとり、一定時間局部への加圧又は連続体揺らし等を実施する事で、老化や日常の椅子生活から来る猫背や屁っぴり腰化の改善に努めることを基本にしつつ、全身の筋肉や各関節部位をほぐし、可動域の拡大へと波及させていきます。【選択図】図２
0003127718.tif 000002
【実用新案登録請求の範囲】
【請求項１】
寝台のマット部分を多分割した各々のミニ、マットに、嵌め換えソケット部を付加した、マット、ユニットとして、寝台内に設けられた各々の相手側ソケットへ嵌め込む事で、寝台としての変更可能なマット面の再構成が可能な構造と、前記、各マット、ユニットの高さを、個別に可変設定可能な手段とを、備えことを特徴とするエクササイズ寝台
【考案の詳細な説明】
【技術分野】
【０００１】本考案は、自分自身、自宅で手軽に、姿勢を変えながら筋肉や関節を、ほぐす為の用具を提供するものである。
【背景技術】
【０００２】従来、生活習慣や、老化によって腰が曲がり、背中が丸くなって身体全体の可動域が狭くなり、運動能力も低下してくる。これを改善出来る整体術は保健が効かない。自分自身で、自宅で出来る簡便な方法が無かった。
【考案の開示】
【課題を解決するための手段】
【０００３】横臥又は仰向け姿勢で、本エクササイズ寝台上でストレッチ体操や姿勢矯正ポーズをとり、一定時間局部への加圧又は連続体揺らし等を実施する事で、老化や日常の椅子生活から来る猫背や屁っぴり腰化の改善に努めることを基本にしつつ、全身の筋肉や各関節部位をほぐし、可動域の拡大へと波及させていきます。
【考案の効果】
【０００４】本寝台の特徴であるマット面を任意に凹凸化する機能を生かし、必要な加圧強調部位にマットを突出させたり、体ひねりポーズが楽な寄っ掛かり姿勢がとれる斜面形状を設けたり、エクササイズのメニューに合致したポーズがとり易いマット形状に設定が可能になった為に、楽で、効率の良い全身のほぐしが加速される様になり、可動域の拡大、姿勢の改善、運動能力の向上が図られます。
【図面の簡単な説明】
【０００５】
【図１】寝台の構造を示すもので、ユニットの方位で、高さが変わります。
【図２】使用例を示すもので、加圧部位や寄り掛かり部分を設定します。
【図１】
0003127718.tif 000003
【図２】
0003127718.tif 000004
【手続補正書】
【提出日】平成18年8月6日(2006.8.6)
【手続補正１】
【補正対象書類名】実用新案登録請求の範囲
【補正対象項目名】全文
【補正方法】変更
【補正の内容】
【実用新案登録請求の範囲】
【請求項１】
寝台のマット部分を、多分割化されたプラグイン方式のミニマットユニットにして、寝台内で、前記、ミニマットユニットの着脱、交換が出来る構造と、寝台内に装着された、前記ミニマットユニット面の高さを、個別に可変設定出来る手段、とを備えたことを特徴とするエクササイズ寝台
(57)【要約】【課題】  微細ガラス管からなるマイクロピペットの毛細管現象を軽減し、また新たに２液を混合することも可能なマイクロピペットを提供することを課題とする。【解決手段】  先端に向かって直径が細くなるマイクロピペットにおいて、側面に少なくとも１箇所の貫通孔を設けたことを特徴とする。【選択図】図１
0003127714.tif 000002
【実用新案登録請求の範囲】
【請求項１】
先端に向かって直径が細くなるマイクロピペットにおいて、側面に少なくとも１箇所の貫通孔を設けたことを特徴とするマイクロピペット。
【請求項２】
先端に向かって直径が細くなるマイクロピペットにおいて、側面に少なくとも１箇所の台形状に突出した周辺部を有する貫通孔を設けたことを特徴とするマイクロピペット。
【請求項３】
外径１ｍｍ以下のガラス管を先端に向かって直径が細くなるように形成したマイクロピペットにおいて、側面に少なくとも１箇所の台形状に突出した周辺部を有する貫通孔を設けたことを特徴とするマイクロピペット。
【請求項４】
外径１ｍｍ以下のガラス管を先端に向かって直径が細くなるように形成し最先端部がガラス管軸に対して斜めに構成されたマイクロピペットにおいて、側面に少なくとも１箇所の台形状に突出した周辺部を有する貫通孔を設けたことを特徴とするマイクロピペット。
【考案の詳細な説明】
【技術分野】
【０００１】  本考案は、生命科学分野におけるマイクロインジェクション、核移植などの操作を行う際に必要となるマイクロピペットに関する。
【背景技術】
【０００２】  生物学や生物工学などの分野においては、生物の微小組織、細胞などを顕微鏡下で観察しながら操作を行う必要があり、このような作業のためにマイクロマニピュレータと呼ばれる装置が使用される。マイクロマニピュレータは通常、例えば特許文献１の図２に示されるような構成をしており、顕微鏡、モニターユニット、微動テーブル及びマイクロピペットなどからなる。【０００３】  マイクロピペットとしては、先細り形状の微小ガラス管が使用されており、特許文献２の図４に示されるような単純円錐形や、或いは特許文献１の図１に示されるように円錐形の先端を斜めに切り取った形状が使用される。また、マイクロピペットとは、特許文献３に記載されているように、通常は外径が約１ｍｍ程度のテーパ形状のガラス管を指すが、上述の分野において例えば人工授精などを行う場合は、先端部の内径が０．３〜１０ミクロン程度の極めて細いマイクロピペットが必要となる。【０００４】
【特許文献１】特開平８−２９０３７７号公報
【特許文献２】特開２００４−３２５８３６号公報
【特許文献３】特開２００３−１２５７５０号公報
【考案の開示】
【考案が解決しようとする課題】
【０００５】  細い管においては、毛細管現象により液体が端部から侵入し或いは管内に留まってしまうという現象が起こる。特にマイクロピペットのような内径がミクロンオーダーの細管の場合にはこの現象が顕著であり、時として研究或いは操作の障害となっていた。【０００６】  このような従来の問題点に鑑みて本考案は、微細ガラス管からなるマイクロピペットの毛細管現象を軽減し、また新たに２液を混合することも可能なマイクロピペットを提供することを課題とする。
【課題を解決するための手段】
【０００７】  上記課題を解決するため本考案は、先端に向かって直径が細くなるマイクロピペットにおいて、側面に少なくとも１箇所の貫通孔を設けたことを特徴とする。【０００８】  前記貫通孔の周辺部は台形状にピペット本体から突出していることが望ましい。【０００９】  また、本考案におけるマイクロピペットは、外径１ｍｍ以下のガラス管であることが好適である。【００１０】  さらに、本考案に係るマイクロピペットは、最先端部がガラス管軸に対して斜めに構成されていることが望ましい。
【考案の効果】
【００１１】  本考案によるマイクロピペットは、側面に少なくとも１箇所の貫通孔を設けたことにより、この貫通孔を通して内部と外部が連通するため、毛細管現象によるピペット最先端部からの液の吸入や或いは逆に最先端部での液の貯留などが軽減できる。【００１２】  また、本考案におけるマイクロピペットの側面貫通孔周囲が台形状にピペット本体より突出していることにより、貫通孔周辺部のガラス強度が補強される。最先端部をガラス管軸に対して斜めに形成する際に、貫通孔があるとピペットの強度が弱くなって折れてしまう危険性があるが、この台形状の貫通孔によればそのような危険性を軽減することができる。
【考案を実施するための最良の形態】
【実施例】
【００１３】  以下、図面に基づいて本考案の好適な実施例について説明する。図１は、本考案に係るマイクロピペットの実施例の断面図を示す。ピペット本体１は最先端４に行くほど先細りのテーパ形状となっている。最先端部４は、ピペット軸に対して斜めに切断された形状となっており、これにより細胞等への注入が容易となる。斜行形状は特に限定されるものではなく、角度は適用用途により適宜調節されるものであり、また斜行の向きも図１に示したものと反対向きでもよい。マイクロピペットの内径としては１００ミクロン以下が好適であり、１０ミクロン以下程度まで加工が可能である。マイクロピペット本体１の側面には貫通孔２を設けてあり、ピペット内部と外部とを連通させている。貫通孔の内径は、ピペット本体の内径以内であることが望ましい。また、貫通孔を設ける位置は特に制限されるものではないが、製造工程上先端部から約５０ミクロン程度以上は離れていることが好ましい。【００１４】  図２は、図１に示した実施例のマイクロピペットの平面図を示す。貫通孔の形状はこの図では円形であるが、特にこれに限定されるものではない。しかし、貫通孔の形成工程からして略円形が好ましい。【００１５】  次に、本考案によるマイクロピペットの製造工程について説明する。まず、円柱形のガラス管を熱して柔らかくした上で伸張し、テーパ形状を作成する。次に、このテーパ型ガラス管の一部を把持しながらガラス管軸に対して垂直方向に引っ張ることにより、側面に枝管を形成する。この枝管を切断することにより台形状の周辺部を持った貫通孔が形成される。この後、先端部を所望の形状に加工してマイクロピペットする。貫通孔周辺部が台形状に残っているため、ピペット先端部を加工する際に貫通孔部分の強度補強となり、加工が容易となる。
【産業上の利用可能性】
【００１６】  本考案に係るマイクロピペットによれば、毛細管現象による液の流入や滞留を抑制することができ、また貫通孔を通して別のピペットを挿入することにより２液を混合して注入することも可能となるので、生命科学等のマイクロマニピュレーション作業に貢献できるものである。
【図面の簡単な説明】
【００１７】
【図１】本考案に係るマイクロピペットの実施例の断面図を示す。
【図２】図１に示した実施例のマイクロピペットの平面図を示す。
【符号の説明】
【００１８】１    マイクロピペット本体
２    貫通孔
３    台形状孔周辺部
４    最先端斜行部
【図１】
0003127714.tif 000003
【図２】
0003127714.tif 000004
(57)【要約】      （修正有）【課題】住宅や事務所での窓やドア、あるいは、店舗、屋外イベント会場等での商品や備品が不審者によって、わずかでも移動させられることによって、防犯ブザーが自動的に作動し、音響等を発することによって防犯効果をもたらす装置を提供する。【解決手段】防犯ブザーに、延長コードとそれを巻きバネ等によって自動的に巻き取るリールを装着することによって、これが伸び縮みするとブザー音が発するように工夫した。また、この延長コードと防犯ブザー本体に、設置箇所に固定するためのクリップ、マグネット、吸盤を取り付けることによって設置箇所を広範囲にした。【選択図】図２
0003127724.tif 000002
【実用新案登録請求の範囲】
【請求項１】
防犯ブザーにあって、ブザーの音を発生させるためのスイッチに関し、スイッチを「入る」にするために、ピアノ線や幅の細い薄い柔軟性のあるプラスチックや金属の線を、巻きバネ等による自動巻き取り式のリールに延長コードとして装着しておき、この延長コードを該当箇所に必要な長さを引っ張って配線しておくことによって、これが引っ張られて伸び、または、リールに巻き取られて縮むことによって自動的にスイッチを「入る」にすることを特徴とする装置。
【考案の詳細な説明】
【技術分野】
【０００１】住居や事務所の窓やドア部分に、また、店舗や屋外イベントの陳列商品に本考案を設置することによって、不審者の侵入や陳列商品の万引き等を抑止する装置に関する。
【背景技術】
【０００２】従来、住居や事務所の窓やドアの防犯装置としては、窓やドアを開閉することによって防犯装置のスイッチが「入る」仕組みとしてのスイッチ部分を両面テープやネジで固定する方式の装置がある。こうした従来の装置は、設置が容易ではなく、また、一度設置すると取り外しも困難となるものである。
【考案の開示】
【考案が解決しようとする課題】
【０００３】本考案は、従来装置の着脱の不便さを解消するとともに、その応用範囲を陳列商品の防犯やイベント会場での立入制限等の用途として広範囲に出来るようにしたものである。
【課題を解決するための手段】
【０００４】防犯ブザーに延長コードとそれを巻き取るリールを装着し、設置箇所に延長コードを伸ばして設置すると、延長コードの伸び縮みによってリールが回転し、リールに付随する三角の突起がメインスイッチを押すことによって防犯ブザーのスイッチが「入る」になるようにした。こうすることによって、防犯装置の着脱を容易にすると共に、その用途を住宅や事務所の窓や出入口の防犯に限定しないで、店舗の陳列商品や屋外イベントの商品、備品にまで幅広く容易に応用できるようにした。
【考案の効果】
【０００５】本考案を、住宅や事務所の窓や出入口に設置することによって、不審侵入者が窓やドアを開閉するために動かすと同時に防犯ブザーが作動し音響が発生し防犯効果をもたらすものである。また、店舗の陳列商品や屋外イベントの商品、備品にまで応用できるよう工夫した。
【実施例１】図３のように、住居のアルミサッシ引き違い戸に本考案を設置した場合、吸盤を窓の右のサッシに固定し、防犯ブザー本体を左の窓に固定する。しかるのちに、メインスイッチを「入る」にし、最後にサブスイッチを「入る」にする事によって設置は完了する。
不審侵入者が、左右どちらの窓を開けても、延長コードが伸び縮みし、結果としてメインスイッチが「入る」となり、ブザーが音を発するものである。
【実施例２】図４のように、店舗等の陳列商品に本考案を設置することにより、不審来客が無断で商品を持ち去ろうとした場合、延長コードが伸びて音を発するものである。
【実施例３】屋外イベント会場等で、音響設備や簡易金庫や机、椅子等を放置する場合、本考案を設置しておくことによって、不審者が持ち去ろうと移動させると同時に防犯ブザーが音を発するものである。また、立入制限のある場所に本考案を張っておく事によって、不審侵入者がこの延長コードに引っかかり、延長コードが伸びることによって音を発するものである。
【図面の簡単な説明】
【０００６】
【図１】本考案に係る「配線した延長コードの伸び縮みによって起動する防犯ブザー」の全体図である。
【図２】本考案に係る「自動巻取りリールとメインスイッチ」の詳細図である。
【図３】本考案に係る「住居の窓に設置した場合」の概略図である。
【図４】本考案に係る「商品陳列台に設置した場合」の概略図である。
【符号の説明】
【０００７】１  防犯ブザー本体
２  ブザー部分
３  電池
４  巻きバネ等による自動巻取りリール
５  メインスイッチ
６  サブスイッチ
７  磁石付クリップ
８  延長コード
９  吸盤
１０  本体を固定する磁石付クリップ
１２  リールに付随する三角の突起
１３  巻きバネ
【図１】
0003127724.tif 000003
【図２】
0003127724.tif 000004
【図３】
0003127724.tif 000005
【図４】
0003127724.tif 000006
(57)【要約】      （修正有）【課題】車等の動力源の燃料効率を向上させること。【解決手段】本考案は、燃料タンク１からの燃料パイプ２に燃料効率向上装置のマグネットカートリッジを、間隔をあけて複数設置する。そのことにより燃料パイプ２を通って来る燃料が、３，４，５のマグネットカートリッチジの燃料効率向上装置を通過する時、何度もマグネットからの磁気の影響を受け、燃料分子の衝突を活性化し、燃料のクラスターを小さくし、異常燃焼を押え完全燃焼に近づけるので、エンジンのトルクアップ、静寂性、排気ガスのクリーン化、パワーアップ等が可能となり、一般道路での頻繁なアクセル操作にもある程度対応でき燃料効率の向上が計れた。【選択図】図１
0003127704.tif 000002
【実用新案登録請求の範囲】
【請求項１】
（１）燃料タンクからの燃料パイプにマグネットカートリッジを直列に複数設置する液体燃料効率向上装置
（２）燃料パイプにマグネットカートリッジを直列に間隔をあけて複数設置する方法
【考案の詳細な説明】
【技術分野】
【０００１】  本考案は、自動車などの燃料効率を向上させる為、複数のマグネットカートリッジを組み込み、マグネットの磁気を活用した装置【０００２】  本考案は、燃料効率を更に向上させる為の複数のマグネットの設置方法
【背景技術】
【０００３】  従来マグネットによる燃料効率向上装置は、存在するが１〜２個設置が主流で高速道路など、一定速度で走行できる道路での効率向上実績はあるが、普通一般道路での走行で、燃料効率向上の実績は、充分な成果は出ていなかった。
【考案の開示】
【考案が解決しようとする課題】
【０００４】  一般道路走行では、ブレーキ、加速、速度変更等、頻繁にアクセル操作を行う為急激に燃料効果が低下していた。
本案の課題は、一般道路走行でも燃料効率を向上させること。
【課題を解決する為の手段】
【０００５】  （１）  燃料タンクからの燃料パイプにマグネットカートリッジを直列に複数設置する。
（２）  燃料パイプにマグネットカートリッジを直列に間隔をあけて複数設置する。
【考案の効果】
【０００６】  本考案の効果は、エンジンのトルクアップ、静寂性、排気ガスのクリーン化、パワーアップ等が  可能となり、一般道路での燃料効率が向上した。
【考案を実施する為の最良の形態】
【０００７】  本考案を実施する為の形態は、自動車の燃料タンクからの燃料パイプに液体燃料効率向上装置を図１の如く設置し、普通一般道路を繰り返し走行し平均値を出す事が良いと思われる。
【実施例】
【０００８】
0003127704.tif 000003
0003127704.tif 000004
【産業上の利用可能性】
【０００９】  本考案は、液体燃料であれば、ガソリン、軽油、重油等を問わず燃料効率向上が計れる装置と設置方法である。液体燃料使用の発電機、ボイラー、焼却炉、船、飛行機等の動力装置にも利用可能である。
【図面の簡単な説明】
【００１０】
【図１】  本案の燃料効率向上装置の設置図である。
【図２】  本案の燃料効率向上装置のマグネットカートリッジの詳細図である。
【符号の説明】
【００１１】  １………………  燃料タンク
２………………  燃料パイプ
３………………  燃料効率向上装置
４………………  燃料効率向上装置
５………………  燃料効率向上装置
６………………  キャブレーター
７………………  エンジン
８………………  ケースＡ
９………………  ケースＢ
１０……………  マグネット
１１……………  クッション材
１２……………  ネジ（Ｍ３〜４個）
１３……………  燃料パイプ
【図１】
0003127704.tif 000005
【図２】
0003127704.tif 000006
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
燃料パイプにマグネットカートリッジを複数組み合わせ直列に間隔をあけて設置する構造を有し、燃料タンクからの燃料パイプにマグネットカートリッジを直列に複数設置する液体燃料効率向上装置
【手続補正３】
【補正対象書類名】明細書
【補正対象項目名】０００１
【補正方法】変更
【補正の内容】
【０００１】本考案は、自動車などの燃料効率を向上させる為，複数のマグネットカートリッジを組み込み、マグネットの磁気を活用した装置
【手続補正４】
【補正対象書類名】明細書
【補正対象項目名】０００２
【補正方法】変更
【補正の内容】
【０００２】本考案は、燃料効率を更に向上させる為の複数のマグネットカートリッジを組み合わせ設置する構造
【手続補正５】
【補正対象書類名】明細書
【補正対象項目名】０００９
【補正方法】変更
【補正の内容】
【０００９】本考案は、液体燃料であれば、ガソリン、軽油、重油等を問わず燃料効率向上が計れる装置と複数組み合わせて設置する構造である。液体燃料使用の発電機、ボイラー、焼却炉、船、飛行機等の動力装置にも利用可能である。
(57)【要約】【課題】アジャスターを有するテーブルの頻繁に発生するガタツキを自動修正及び解消することができ、またスムーズなテーブル移動ができることを課題とする。【解決手段】従来のアジャスターに粘弾性体をテーブル脚の全てに装着させることで、上からのテーブルの荷重と下からの床面の圧力を個々に感じ取り、粘弾性体それぞれの伸縮により、床面と全ての脚が接地されることから、テーブルのガタツキが一瞬にして自動解消されるアジャスターを設ける。【選択図】図２
0003127701.tif 000002
【実用新案登録請求の範囲】
【請求項１】
テーブル脚一組に取り付けられるアジャスターについて、そのテーブル自体の荷重により、それぞれのアジャスター内部の粘弾性体が個々の状況に応じ圧縮伸長変型する自動調節テーブルアジャスター。
【請求項２】
床接地部はアジャスター内部の粘弾性体とその接地部のボルトを摩擦や衝撃に耐える円環上のポリエチレンキャップにはめ込むことで、耐久性を高めるとともに簡単交換できる動調節テーブルアジャスター。
【考案の詳細な説明】
【産業上の技術分野】
【０００１】本考案は、テーブル脚の下端に取付けられたアジャスターのガタツキを解消するためのテーブルアジャスターに関する。
【背景技術】
【０００２】テーブルのガタツキや水平を保つため、通常テーブルの脚下にアジャスターが設置されている。しかし多くのアジャスターは脚側のナット部分にアジャスター側のボルトを回しながらテーブルの高さやガタツキ調節を行っているのが一般的である。
【考案の開示】
【考案が解決しようとする課題】
【０００３】この場合、店鋪等でテーブルを移動したりすることで徐々にボルト部分が回転しガタツキが発生します。また、床全体が水平に設計されているところは少なく、通常は場所によりそれぞれのガタツキが発生します。また、ガタツキを修正する場合も人による床面に合わせながらの細かい調節作業が必要です。
【課題を解決するための手段】
【０００４】本考案は、上記の課題を解決するため手段として、従来のアジャスターに粘弾性体をテーブル脚の全てに装着させることで、上からのテーブルの荷重と下からの床面の圧力を個々に感じ取り、粘弾性体それぞれの伸縮により、床面と全ての脚が接地されることから、テーブルのガタツキが一瞬にして自動解消される。【０００５】また、床面に接地させるための耐久性に優れたポリエチレン化粧キャップで格納させ、考案のアジャスターの耐久性、利便性の向上図る。
【考案の効果】
【０００６】通常のアジャスターに粘弾性体を装着したものをポリエチレン化粧キャップで格納させた考案のアジャスターをテーブル脚全てに装着することで、テーブル移動がスムーズに出来、自動的にガタツキも解消され床面に合わせながらの細かい調節作業が不要となる。また従来のアジャスターを使用していることで、考案のアジャスターへの交換が容易にできる。
【実施例】
【０００７】本考案の自動調節テーブルアジャスターの実施例を図１〜図３を参照して説明する。図１に示すようにテーブルアジャスターは、ボルト１１と軟質塩化ビニールや、ポリウレタンを使用した２１で構成された通常のアジャスターの下部に粘弾性体３１を接着し、ポリエチレン化粧キャップ４１を組み合わせて構成される。本考案の自動調節テーブルアジャスターをテーブルの脚に取付けると、テーブルや脚の重さにより図２で示すように粘弾性体３１が圧縮される。粘弾性体３１は荷重が掛かることで横に膨張するため、ポリエチレン化粧キャップ４１との隙間を周囲２ｍｍ以上確保する。図３で示すようにテーブルの脚すべて自動調節テーブルアジャスターを装着することで各アジャスターそれぞれが床とテーブルの加圧を受け取り、床面とアジャスターの隙間をなくすことでガタツキが解消される。
【図面の簡単な説明】
【０００８】
【図１】本考案の実施例に係わるテーブルアジャスターの断面図
【図２】テーブルの脚に図１のアジャスターを取り付けた状態を表す断面図
【図３】アジャスターと床の接地面に係わる説明図
【符号の説明】
【０００９】１１  ボルト
２１  アジャスター
３１  粘弾性体
４１  ポリエチレン化粧キャップ
【図１】
0003127701.tif 000003
【図２】
0003127701.tif 000004
【図３】
0003127701.tif 000005
【手続補正書】
【提出日】平成18年9月7日(2006.9.7)
【手続補正１】
【補正対象書類名】実用新案登録請求の範囲
【補正対象項目名】請求項２
【補正方法】変更
【補正の内容】
【請求項２】
圧縮伸長変型を特徴とする請求項１記載の自動調節テーブルアジャスターの床接地部は、自動調節テーブルアジャスター内部の粘弾性体とその接地部のボルトを、摩擦や衝撃に耐える円環上のポリエチレンキャップにはめ込むことで、耐久性を高めると共に簡単に交換ができる自動調節テーブルアジャスター。
(57)【要約】      （修正有）【課題】多くの日本刀は刀身を保護する為の白鞘に収められているが、従来の白鞘の形式では居合術などで実用に使用するためには鍔を付けるために加工により白鞘の形状を変えるか、鞘を新調する必要があったが拵職人数の減少により白鞘の加工または新しく鞘を新調するには多額の費用と製作時間がかかる。【解決手段】本考案の構造は、すでに有る白鞘に部品を付け加えることで実用に供せるようになり、白鞘本体に加工を加える必要もなく、取り外しも可能であり旧形態への復旧も用意である上に、実用の使用も可能になる。【選択図】図１
0003127706.tif 000002
【実用新案登録請求の範囲】
【請求項１】
刀身を収める柄の部分に調節材で鍔を付けることで鑑賞中に手指などのけがの防止を計り、また居合術の試し切りなどの実用的な使用を白鞘でも可能にする為の構造。
【考案の詳細な説明】
【技術分野】
【０００１】本考案は、美術品として鑑賞される日本刀の柄の構造に関する。
【背景技術】
【０００２】従来、日本刀の白鞘は刀身の保護のみを目的に使用されていた。
【考案の開示】
【考案が解決しようとする課題】
【０００３】白鞘は刀身の保護のみには役立つが、居合術などによる試し切りのためには鍔がなく不具合が有った。折角日本刀を有していても白鞘では日本刀の観賞用のみで、実際の居合術による試し切りの場合には別の拵をあつらえる必要があった。また鑑賞時にも鍔がなく保持が不安定なため誤って手指をけがする恐れもあった。
【課題を解決するための手段】
【０００４】本考案の構造は、元来鍔は図２のように刀身に直接装着されたハバキと柄の間に鍔を挟みこみ刀身の差込部分に目釘を使用して固定していたが、柄に直接鍔を装着して調節材で目釘と結合して鍔を固定することで実用に使用可能にするものである。
【考案の効果】
【０００５】本考案は以上のような構造であって、柄１００に鍔１０４を装着し、調節材１１２と目釘１０６を用いて、刀身１０８を固定することで実用に好都合である。また白鞘への加工が必要ないため白鞘は損傷することなく旧状態への復旧も容易である。
【実施例】
【０００６】本考案の実施例を図面に従って説明する。図１は本考案の構造を示す。日本刀は白鞘に収められ刀身１０８は柄１００と結合される。結合された柄１００と刀身１０８は刀身１０８の差込部分１１０が柄１００に掘削された挿抜孔１０２に差し込まれ、目釘１０６で結合される。本考案の特徴は柄１００の上に鍔１０４を設けたところにある。鍔１０４に結合された調節材１１２を目釘１０６で柄１００に固定される。【０００７】図２は従来技術により柄１００に刀身１０８を差し込んだ状態を示す。この時、柄１００と鍔１０４とハバキ１１４と刀身１０８の順に組み合わされ、目釘で固定される。後から鍔を追加する場合は柄部分の改良が必要となり、そのためには貴重な刀身を預かる必要があるが、本案では柄の部分のみを預かれば刀身を預かる必要はない。【０００８】図３は第１図に示した本考案による柄１００に鍔１０４を収めたところである。白鞘の加工はなく差込部分１１０が調節材１１２によって確実に固定されている。差込部分１１０を固定できれば、その形状は板でなくともよい。【０００９】図４は鍔１０４を柄１００に固定する別の方法を示している。図４では補強のためにその上に柄糸で補強した状態場合の様子である。
【図面の簡単な説明】
【００１０】
【図１】  本考案による柄１００の構造を示す図
【図２】  従来技術による柄１００と鍔１０４とハバキ１１４と刀身１０８の結合を示す図
【図３】  本考案による柄１００と刀身１０８の結合を示す図
【図４】  本考案による鍔１０４を柄１００の固定方法の別種を示す図
【符号の説明】
【００１１】１００  柄
１０２  挿抜孔
１０４  鍔
１０６  目釘
１０８  刀身
１１０  差込部分
１１２  調節材
１１４  ハバキ
１１５  柄糸
【図１】
0003127706.tif 000003
【図２】
0003127706.tif 000004
【図３】
0003127706.tif 000005
【図４】
0003127706.tif 000006
【手続補正書】
【提出日】平成18年9月1日(2006.9.1)
【手続補正１】
【補正対象書類名】実用新案登録請求の範囲
【補正対象項目名】全文
【補正方法】変更
【補正の内容】
【実用新案登録請求の範囲】
【請求項１】
刀身を収める柄の部分に調節材で鍔を付けることで鑑賞中に手指などのけがの防止を計り、また居合術の試し切りなどの実用的な使用を白鞘でも容易にすることを特徴とする構造の柄。
(57)【要約】【課題】（１）下水道等マンホール蓋の蝶番が一定方向でないこと。（２）黒色の蓋なので識別が困難なこと。【解決手段】（１）同じ絵柄のマンホール蓋で蝶番の位置を変えた数パターンを作成する。（２）蓋の全部または一部に着色をする。【選択図】図１
0003127709.tif 000002
【実用新案登録請求の範囲】
【請求項１】
（１）下水道マンホール蓋及びその他の地下埋設物維持管理用蓋
【考案の詳細な説明】
【技術分野】
【０００１】鋳鉄
【背景技術】
【０００２】なし
【考案の開示】
【考案が解決しようとする課題】
【０００３】各自治体にある避難場所は、その地域の住民等、きわめて限られた人々しかその所在が分からず、災害発生時、外国人を含む不特定多数の人々は避難場所まで無事にたどり着けるであろうか。各自治体は指定避難所をホームページで公開しているが、携帯端末が災害時に効果を発揮できれば問題はないが、多くの場合は回線が一杯となり端末の利用は困難であろう。
【課題を解決するための手段】
【０００４】誰でも簡単に道順が分かる標識の設置。
【考案の効果】
【０００５】災害発生時、誰もが確実に最寄の指定避難場所までたどり着くことができる。避難場所がわからずに指定避難所以外の場所に避難する人々が少なくなれば、被災者救済の混乱を防げるのである。
【考案を実施するための最良の形態】
【０００６】現在、道路上に設置してあるマンホール蓋に道順を示す役割を持たせる。
【実施例】
【０００７】なし
【産業上の利用可能性】
【０００８】下水道等マンホールの新たな役割。また災害に備えた自治体のイメージアップ及び指定避難所の設備の拡充の必要性。
【図面の簡単な説明】
【０００９】
【図１】  マンホール蓋を示した平面図である。
【符号の説明】
【図１】
１誘導する方向
２指定避難所までの距離
【図１】
0003127709.tif 000003
【手続補正書】
【提出日】平成18年9月14日(2006.9.14)
【手続補正１】
【補正対象書類名】実用新案登録請求の範囲
【補正対象項目名】全文
【補正方法】変更
【補正の内容】
【実用新案登録請求の範囲】
【請求項１】
避難所の方向を示す標識と避難所までの距離を示す標識とが、その表面に鋳造で一体的に形成されていることを特徴とする、下水道マンホール蓋その他の地下埋設物維持管理用蓋。
(57)【要約】【課題】本考案は、特に、ハーモニカの入門者・初心者が演奏法の基本を正しく、かつ、容易に理解することができる教材として提供する。【解決手段】本考案は、音階の吹き吸いおよび数字譜がハーモニカ模型に色分けして表示してあり、模型を手に持ち、口の形を模したスライド板を動かしながらイメージを描く方法で容易に演奏法を理解できるようにした。また、長音階Ｃと短音階Ａｍを模型上部と下部に区分けして表示したので、長音階と短音階の練習に役立つ。【選択図】図１
0003127703.tif 000002
【実用新案登録請求の範囲】
【請求項１】
木製・プラスチック製・金属製・または、紙製のハーモニカ模型の上面にドレミファソラシドの音階と、色分けした音の吹き吸いを、側面に上面に対応した数字譜を表示し、かつ、口の形を模したした、はめ込み式のスライド板を装着することにより、ハーモニカ演奏法の基本を理解する助けとなる入門者・初心者向け教材である。
【考案の詳細な説明】
【技術分野】
【０００１】  本考案は、音階の吹き吸いおよび数字譜を表示したハーモニカ模型である。
【背景技術】
【０００２】  目で見るハーモニカ教材としては、本およびビデオがあるのみである。
【考案の開示】
【考案が解決しようとする課題】
【０００３】  目で見るハーモニカ教材として本の図は、平面的であり、手にとって動かすことは出来ない。また、ビデオは見る場所が限定され、本と同様、これも手に取ることが出来ない。
【課題を解決するための手段】
【０００４】  本考案は、音階の吹き吸いおよび数字譜をハーモニカ模型に色分けして表示することにより、学習者が模型を手に持ち、動かしながらイメージを描くことで、容易に演奏法を理解できるようにし、問題点を解決している。
【考案の効果】
【０００５】  特にハーモニカの入門者、初心者は、この模型を使用することにより、ハーモニカ演奏の基本を、本やビデオよりもはるかに手軽に、かつ、わかりやすく理解することが出来、上達が早まる。
【考案を実施するための最良の形態】
【０００６】  ハーモニカできれいな音を出すのには、音が混ざらないようにすることがポイントであるが、そのためには、口がどの位置にあるかを意識する必要がある。この模型とスライド板を使用すれば、正しい口の位置を容易に理解することが出来る。
【実施例】
【０００７】  この模型に、口の形を模したスライド板をはめ込み、ドレミファで表示した面の上を移動させることで、演奏法の基本が理解できる。
【実施例】
【０００８】  この模型のスライド板を、はずすか端に寄せておいて、ドレミファで表示した面と数字譜を見ながら音階練習をしたり、曲の練習をする。
【図面の簡単な説明】
【０００９】
【図１】  学習用ハーモニカ模型にスライド板をはめた立面図である。
【図２】  学習用ハーモニカ模型の展開図である。
【符号の説明】
【００１０】  １  学習用ハーモニカ模型本体
２  音の吹き吸いと音階表示Ｃ
３  数字譜表示Ｃ
４  音の吹き吸いと音階表示Ａｍ
５  数字譜表示Ａｍ
６  スライド板本体
７  口の形のくり抜き部分
８  数字譜表示のくり抜き部分
【図１】
0003127703.tif 000003
【図２】
0003127703.tif 000004
【手続補正書】
【提出日】平成18年9月13日(2006.9.13)
【手続補正１】
【補正対象書類名】実用新案登録請求の範囲
【補正対象項目名】請求項１
【補正方法】変更
【補正の内容】
【請求項１】
木製・プラスチック製・金属製・または、紙製の学習用ハーモニカ模型本体の上面にドレミファソラシドの音階と音の吹き吸いを色分けして表示し、側面には上面の音階に対応した数字譜を表示し、かつ、口の形を模した、はめ込み式のスライド板をこの学習用ハーモニカ模型本体に装着して使用することにより、ハーモニカ演奏法の基本を理解しやすくしようとする入門者・初心者向けハーモニカ学習教材模型である。
(57)【要約】【課題】  ハサミで紙を切っても、紙くずが下に落ちないようにする。【解決手段】  ハサミの片側上下に保持を付けることによって、紙くずが落ちないようになる。【選択図】図３
0003127710.tif 000002
【実用新案登録請求の範囲】
【請求項１】
ハサミで切ったときに、片側に紙くずが落ちてしまうので、片側に保持できるものをつける。
【考案の詳細な説明】
【考案の開示】
【考案が解決しようとする課題】
【０００１】  ハサミを右手で持って紙を切ると、右側に切れ端がおちて、あとでひらい集めなければいけないという問題があった。
【課題を解決するための手段】
【０００２】  ハサミで紙を切っても、紙くずが下に落ちないように、刃の片側の上下に保持を付ける。
【考案の効果】
【０００３】  ハサミで紙を切っても、保持が付いてるため、紙くずが下に落ちるのを防ぐことができる。
【図面の簡単な説明】
【図１】  ハサミを開いたときの平面図である。
【図２】  ハサミを閉じて上から見た平面図である。
【図３】  ハサミの刃先から見た図である。
【符号の説明】
１  ハサミ本体
２  保持部分
３  ゴムのスポンジ
【図１】
0003127710.tif 000003
【図２】
0003127710.tif 000004
【図３】
0003127710.tif 000005
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
ハサミの片側上下側面に、直角に長方形の保持を付け、保持と同じ大きさのゴムのスポンジを、保持が向かい合った面に付けたハサミ。
(57)【要約】【課題】パソコンの電源がOFFの場合には、そのパソコンのUSBポートから電子機器に充電、給電することができない。【解決手段】パソコンの電源部或いは電池部から＋５V電源線とー５V電源線を引き出し切り替えスイッチを介しUSBポートに繋ぐ。【選択図】  図１
0003127705.tif 000002
【実用新案登録請求の範囲】
【請求項１】
パソコンを起動しなくても、パソコンの回路に通さずパソコンの電源部或いは電池部に直接繋がっているUSBポートがあって、そのUSBポートからUSBコネクター端子を有する電子機器或いはUSBケーブルでパソコンと接続する電子機器に充電、給電することを特徴とするパソコン。
【請求項２】
前記のUSBポートがパソコンの回路部と電源部を切り替えスイッチにより、切り替えることできるようにした。通常のUSBポートとして使えることを特徴とする請求項１記載のパソコン。
【考案の詳細な説明】
【技術分野】
【０００１】
パソコンのUSBポートからUSBコネクター端子を有する電子機器或いはUSBケーブルでパソコンと接続する電子機器に充電,供電するに関するパソコンである。
【背景技術】
【０００２】
従来パソコンがすでに電源が入っている状態でパソコンのUSBポートからUSBコネクター端子を有する電子機器或いはUSBケーブルでパソコンと接続する電子機器に充電、給電する。パソコンの電源がOFFの場合は充電,給電することが不可能である。
【考案の開示】
【考案が解決しようとする課題】
【０００３】
従来パソコンのUSBポートからUSBコネクター端子を有する電子機器或いはUSBケーブルでパソコンと接続する電子機器に充電、給電する時パソコンがすでに電源が入っている状態で可能である、そうでないとパソコンを起動しなくてはならない。起動しなくて、USBポートに電流が流れず、充電ができない。充電などだけでパソコンを起動し、時間もかかるし、パソコンの資源も無駄になる。また充電池を利用してノートパソコンを使う場合はパソコンを起動してから、パソコンの電池が何時間しが持たない。電子機器に充電,給電ができなくなる可能性もある。
【課題を解決するための手段】
【０００４】
パソコンの電源部（パソコンの変圧器を通し、出力した直流電源部）或いは電池部から＋５V電源線とー５V電源線を引き出し、パソコンの回路部と電源部に切り替えスイッチを介してパソコンのUSBポートの電源ピンに接続し、パソコンの電源がOFFの場合は切り替えスイッチを電源部に切り替えれば、パソコンの電源部或いは電池部から直接電流を受けることができ、よって上記のパソコンのUSBポートからUSBコネクター端子を有する電子機器或いはUSBケーブルでパソコンと接続する電子機器に充電,給電することが可能である。また切り替えるスイッチをパソコンの回路部に切り替えれば通常のパソコンのUSBポートとして使える。
【考案の効果】
【０００５】
パソコンで電子機器に充電、給電する場合は、パソコンを起動する手間がかからない。パソコンとデータ通信もする電子機器が切り替えスイッチで一つのUSBポートだけでデータ通信と充電両機能が備えた。またパソコンの電池を使う場合は電子機器に充電,給電する時間が長く延びた。
【考案を実施するための最良の形態】
【０００６】
本考案はパソコンの電源がOFFの状態で電子機器に充電,給電するに関するパソコンである。
【図面の簡単な説明】
【０００７】
【図１】回路図（充電モード）
【図２】回路図（通常モード）
【図３】正面図（実施例）
【符号の説明】
【０００８】
１  電源部或いは電池部
２  パソコンの回路部
３  パソコンのUSBポート
４  切り替えスイッチ
５  ＋５ｖ電源線
６  −５ｖ電源線  
【図１】
0003127705.tif 000003
【図２】
0003127705.tif 000004
【図３】
0003127705.tif 000005
【手続補正書】
【提出日】平成18年9月1日(2006.9.1)
【手続補正１】
【補正対象書類名】実用新案登録請求の範囲
【補正対象項目名】請求項２
【補正方法】変更
【補正の内容】
【請求項２】
パソコンの回路部と電源部に切り替えスイッチがあり、切り替えることにより請求項１記載のUSBポートが通常のUSBポートとして使えることを特徴とするパソコン。
【手続補正書】
【提出日】平成18年10月5日(2006.10.5)
【手続補正１】
【補正対象書類名】実用新案登録請求の範囲
【補正対象項目名】請求項２
【補正方法】変更
【補正の内容】
【請求項２】
請求項１記載のUSBポートにパソコンの回路部と電源部の切り替えスイッチがあることを特徴とするパソコン。
(57)【要約】【課題】既存の木製左官鏝は、図５のように腹面２３−２が平面に加工されており、これを使いこなして見栄えのいい壁面に仕上げるには相当の熟練と長時間の作業を必要としていた。さらに、壁紙のような自然な風合いの模様付け塗り壁に仕上げることはできなかった。【解決手段】腹面１３−２の中央部１３−２ｂの断面厚み方向の寸法を腹面の両端部１３−２ａや１３−２ｃのそれよりも大きくする事で、初心者でも自然な風合いの塗り壁に仕上げる事ができる木製左官鏝が可能となる。【選択図】図６
0003127707.tif 000002
【実用新案登録請求の範囲】
【請求項１】
作業面１３−２の縦方向中央部１３−２ｂが最も高くなるよう、円弧状または逆台形状に加工した事を特徴とする木製左官鏝。
【考案の詳細な説明】
【技術分野】
【０００１】本考案は短時間の訓練で自然な風合いの模様付け塗り壁仕上げを可能とする木製左官鏝を提供するものである。
【背景技術】
【０００２】  従来の木製左官鏝においては、壁面全体を均一な平面に仕上げる為の鏝であったため、その鏝板腹面２３−２（以下、腹面２３−２）は全て画一的な平面に加工されており、相当の熟練者でも均一な平面仕上げ（図１）または、うろこ状の仕上げ（図２）等限られていた。
また、素人がこれを使って塗り壁を自然な風合いに仕上げる事はほとんど不可能であった。
【考案の開示】
【考案が解決しようとする課題】
【０００３】  従来の木製左官鏝は、塗り壁仕上げ時にその腹面２３−２で半練状の壁材を壁面に押し当てつつ、鏝板を左右に振りながら壁を平面状に仕上げていく方法で使われていた。しかしながら、その腹面２３−２は平面で、なおかつ図５の２３−２ａ、２３−２ｃのように左右端面はエッジ状になっており、鏝を左側方向に振るときと、右側方向に振るときに壁材と腹面２３−２との摩擦抵抗が大きく、このような連続作業状態では鏝板背面２３−１（以下、背面２３−１）に壁材が盛り上がってきて作業が困難な状態になるため、その進行方向にあわせて、その都度鏝板の鏝板腹面２３−２を手首で微妙に浮かせて調整する必要があった。
この作業を連続的に繰り返しながら壁面を仕上げるには相当の熟練を要していた。【０００４】  さらに、熟練者であっても、壁紙などに見られるような自然な風合いの凹凸仕上げは不可能であるなどの欠点があったため本考案はこれを解決するためのものである。
【課題を解決するための手段】
【０００５】  本考案の木製左官鏝は、鏝板腹面１３−２（以下、腹面１３−２）の断面厚み方向の中央部１３−２ｂを左右両端（１３−２ａ、１３−２ｃ）より厚くする事で実現する。
【考案の効果】
【０００６】  本考案の木製左官鏝の効果を図４において説明すると鏝の柄１１の下部に柱脚１２を固定してさらに、その先端に鏝板１３を固定する。
その腹面１３−２の腹面中央部１３−２ｂの断面厚み方向の寸法を腹面左端部１３−２ａや腹面右端部１３−２ｃの断面厚み方向の寸法よりも大きくする事で、壁材と腹面１３−２との摩擦抵抗が大幅に減少し、左右に振りやすい構造となる。【０００７】  また、この木製左官鏝で壁材を塗っていく過程において、主に腹面中央部１３−２ｂを使うので、仕上げられた面は、図３のような連続した自然な風合いの凹凸状にすることが出来る効果がある。【０００８】  さらに、上記理由から、短時間の訓練で熟練者と同等以上の見栄えのする自然な風合いの塗り壁仕上げ作業が可能となる。【０００９】  さらに、木製であり、かつ壁面と腹面１３−２の左右両端（１３−２ａ、１３−２ｂ）との摩擦抵抗が極めて少ないため、広範囲や長時間の模様付け塗り壁仕上げ作業が可能となる。【００１０】  さらに、本考案は実施するに当り、特殊な加工工程も追加する材料も必要としないので安価な製品化が可能となる。
【考案を実施するための最良の形態】
【００１１】  作業者の握り部である柄１１に柱脚１２を固定して、その先に腹面中央部１３−２ｂの断面厚み方向の寸法を腹面両端部１３−２ａや１３−２ｃよりも大きくした鏝板１３の上部を固定する構造とする。
【実施例】
【００１２】  本考案の木製左官鏝を図において説明すると、図４で示されるとおり、柄１１に柱脚１２を固定し、その先に鏝板１３の鏝板背面側１３−１を固定する。
【図面の簡単な説明】
【００１３】
【図１】従来の木製左官鏝の平面塗り仕上げ実施例
【図２】従来の木製左官鏝のうろこ状の仕上げ塗り実施例
【図３】本考案の木製左官鏝の自然な風合いの模様付け仕上げ塗り実施例
【図４】本考案の木製左官鏝の実施例を示した断面図
【図５】従来の木製左官鏝の断面図
【図６】本考案の木製左官鏝の実施例を示した斜視図
【符号の説明】
【００１４】  １１は本考案の木製左官鏝の柄
１２は本考案の木製左官鏝の柱脚
１３は本考案の木製左官鏝の鏝板
１３−１は本考案の木製左官鏝の鏝板背面
１３−２は本考案の木製左官鏝の鏝板腹面
１３−２ａは本考案の木製左官鏝の腹面左端部
１３−２ｂは本考案の木製左官鏝の腹面中央部
１３−２ｃは本考案の木製左官鏝の腹面右端部
２１は従来型の木製左官鏝の柄
２２は従来型の木製左官鏝の柱脚
２３は従来型の木製左官鏝の鏝板
２３−１は本考案の木製左官鏝の鏝板背面
２３−２は本考案の木製左官鏝の鏝板腹面
２３−２ａは従来型の木製左官鏝の腹面左端部
２３−２ｂは従来型の木製左官鏝の腹面中央部
２３−２ｃは従来型の木製左官鏝の腹面右端部
【図１】
0003127707.tif 000003
【図２】
0003127707.tif 000004
【図３】
0003127707.tif 000005
【図４】
0003127707.tif 000006
【図５】
0003127707.tif 000007
【図６】
0003127707.tif 000008
【手続補正書】
【提出日】平成18年9月11日(2006.9.11)
【手続補正１】
【補正対象書類名】実用新案登録請求の範囲
【補正対象項目名】全文
【補正方法】変更
【補正の内容】
【実用新案登録請求の範囲】
【請求項１】
塗り壁作業時に壁面と接触して壁面を仕上げる用に供する鏝板腹面１３−２の断面中央部１３−２ｂが最も高くなるよう、円弧状または逆台形状に加工した事を特徴とする木製左官鏝。
【手続補正２】
【補正対象書類名】明細書
【補正対象項目名】００１４
【補正方法】変更
【補正の内容】
【００１４】  １１は本考案の木製左官鏝の柄
１２は本考案の木製左官鏝の柱脚
１３は本考案の木製左官鏝の鏝板
１３−１は本考案の木製左官鏝の鏝板背面
１３−２は本考案の木製左官鏝の鏝板腹面
１３−２ａは本考案の木製左官鏝の腹面左端部
１３−２ｂは本考案の木製左官鏝の腹面中央部
１３−２ｃは本考案の木製左官鏝の腹面右端部
２１は従来型の木製左官鏝の柄
２２は従来型の木製左官鏝の柱脚
２３は従来型の木製左官鏝の鏝板
２３−１は従来型の木製左官鏝の鏝板背面
２３−２は従来型の木製左官鏝の鏝板腹面
２３−２ａは従来型の木製左官鏝の腹面左端部
２３−２ｂは従来型の木製左官鏝の腹面中央部
２３−２ｃは従来型の木製左官鏝の腹面右端部
(57)【要約】      （修正有）【課題】本考案は、墓地に水をなくす事により蚊の発生を防ぐ事を目的としたものである。【解決手段】本考案は、墓地の花立の下に穴をあけ水が溜まらないようにした花立である。【選択図】図１
0003127776.tif 000002
【実用新案登録請求の範囲】
【請求項１】
墓石用花立に水が溜り蚊の発生源になる事を防止する為に花立の下に穴をあける事により水が溜らないことを目的とした墓石用穴あき花立とする
【考案の詳細な説明】
【技術分野】
【０００１】本考案は墓地の花立に水が溜まり蚊が発生する事を防止する花立です
【背景技術】
【０００２】花立の下に穴をあけ常に水が溜まらないようにしたものです
【考案の開示】
【考案が解決しようとする課題】
【０００３】墓地で蚊の発生をなくす事
【課題を解決するための手段】
【０００４】蚊は水がないと発生しない為に水の溜まらない花立にする
【考案の効課】
【０００５】墓地に蚊を少なくする
【考案を実施するための最良の形能】
【０００６】花立の下に穴をあけること
【実施例】
【０００７】花立に常に水がなく清潔に保たれ蚊の発生を防ぐ
【図面の簡単な説明】
【０００８】
【図１】穴あき花立の全体図
【符号の説明】
【０００９】▲１▼花立
▲２▼水抜き用穴
【図１】
0003127776.tif 000003